(57)【要約】【課題】蓄電モジュールを拘束する拘束板による蓄電モジュールへの荷重が確保されながら、拘束板の軽量化が図られている蓄電装置を提供することができる。【解決手段】蓄電装置では、拘束板１７は、複数のリブ部３８と複数の肉薄部３９とを有する。複数の第一リブ部４１は、第一縁３１ａ及び第二縁３１ｂの対向方向に対して傾斜すると共に第一係合部分３２と第二係合部分３３とを結ぶ直線上において、延在している。複数の第二リブ部４２は、第一リブ部４１に接続されていると共に第一縁３１ａ及び第二縁３１ｂの対向方向に延在している。複数の第一リブ部４１のうち少なくとも２つは、互いに異なる方向に延在していると共に互いに交差する。複数の第二リブ部４２の少なくとも一つは、両端が互いに交差する２つの第一リブ部４１にそれぞれ接続されている。【選択図】図３
2020087924.tif 000002
【特許請求の範囲】
【請求項１】
積層された複数の蓄電モジュールと、
積層方向において前記複数の蓄電モジュールを挟む一対の拘束板と、
前記一対の拘束板を連結し、前記一対の拘束板を介して前記積層方向に前記複数の蓄電モジュールに荷重を付加する複数の連結部材と、を備え、
前記一対の拘束板のそれぞれは、互いに対向すると共に対向方向と交差する方向に延在している第一縁及び第二縁を有すると共に、前記第一縁に沿って配置され且つ前記複数の連結部材の一部がそれぞれ係合する複数の第一係合部分と、前記第二縁に沿って配置され且つ前記複数の連結部材の一部がそれぞれ係合する複数の第二係合部分とを有し、
前記一対の拘束板の少なくとも一方は、複数のリブ部と、前記複数のリブ部によって画定されていると共に前記積層方向における厚さが前記複数のリブ部よりも薄い複数の肉薄部と、を有し、
前記複数のリブ部は、前記拘束板の縁に沿って延在している縁リブ部と、前記第一縁及び前記第二縁の前記対向方向に対して傾斜していると共に前記第一係合部分と前記第二係合部分とを結ぶ直線上において、延在している複数の第一リブ部と、前記第一縁及び前記第二縁の前記対向方向に延在している複数の第二リブ部と、を含み、
各前記第一リブ部の両端は、前記縁リブ部にそれぞれ接続されており、
前記複数の第一リブ部のうち少なくとも２つは、互いに異なる方向に延在していると共に互いに交差する交差部を形成しており、
前記複数の第二リブ部の少なくとも１つは、両端が互いに交差する前記第一リブ部にそれぞれ接続されている、蓄電装置。
【請求項２】
前記複数の第一リブ部は、複数の前記交差部を形成しており、
前記複数の交差部は、前記積層方向から見て、前記第一縁と前記第二縁との間において、前記対向方向と交差する方向に配列されている、請求項１に記載の蓄電装置。
【請求項３】
前記一対の拘束板のそれぞれは、前記積層方向から見て、前記第一縁及び前記第二縁を長辺とする矩形状を呈しており、
各前記第一係合部分は、前記複数の第二係合部分のいずれかから前記対向方向に延在している直線上に位置する、請求項１又は２に記載の蓄電装置。
【請求項４】
前記複数の第一係合部分及び第二係合部分のそれぞれは、前記積層方向に前記拘束板を貫通し且つ前記複数の連結部材の１つが係合される孔を有しており、
前記複数の肉薄部のそれぞれは、前記積層方向から見て、前記孔よりも大きい面積を有する、請求項１〜３のいずれか一項に記載の蓄電装置。
【請求項５】
前記複数の第二リブ部は、複数の前記第一リブ部によって囲われていると共に画定される区画領域に設けられている、請求項１〜４のいずれか一項に記載の蓄電装置。
【請求項６】
前記複数の第二リブ部は、複数の前記区画領域のそれぞれに設けられており、
前記複数の区画領域は、第一領域と、前記積層方向から見て前記対向方向と交差する方向において前記第一領域よりも前記拘束板の中央の近くに位置する第二領域とを含み、
前記第一領域内の前記肉薄部の密度は、前記第二領域内の前記肉薄部の密度よりも大きい、請求項５に記載の蓄電装置。
【請求項７】
前記区画領域において、当該区画領域内の第一部分における前記肉薄部の密度は、前記対向方向と交差する方向において当該区画領域内で前記第一部分よりも前記拘束板の中央の近くに位置する第二部分における前記肉薄部の密度よりも大きい、請求項５又は６に記載の蓄電装置。
【請求項８】
前記一対の拘束板のそれぞれは、前記第一縁及び前記第二縁に交差すると共に互いに沿った方向に延在している第三縁及び第四縁を有すると共に、前記第三縁に沿って配置され且つ前記複数の連結部材の一部が係合する第三係合部分と、前記第四縁に沿って配置され且つ前記複数の連結部材の一部が係合する第四係合部分とを有し、
前記複数のリブ部は、前記拘束板の縁に沿って延在している縁リブ部と、前記第一縁及び前記第三縁に対して傾斜する角リブ部とを含み、
前記角リブ部は、前記第一縁に沿って延在している前記縁リブ部と前記第三縁に沿って延在している前記縁リブ部とを接続するように延在している、請求項１〜７のいずれか一項に記載の蓄電装置。
【請求項９】
前記複数のリブ部は、前記第一縁及び前記第二縁の前記対向方向に対して傾斜していると共に前記第一係合部分と前記第二係合部分とを結ぶ直線上において、前記縁リブ部から前記第一リブ部まで延在している補助リブ部を含む、請求項１〜８のいずれか一項に記載の蓄電装置。
【発明の詳細な説明】
【技術分野】
【０００１】
本発明は、蓄電装置に関する。
【背景技術】
【０００２】
積層された複数の蓄電モジュールを有する蓄電装置が知られている（たとえば特許文献１）。このような蓄電装置では、複数の蓄電モジュールが一対の拘束板によって積層方向に拘束される。特許文献１では、複数の連結部材は、拘束板のそれぞれの縁に沿って配置された複数の係合部分に係合され、一対の拘束板を介して積層方向に複数の蓄電モジュールに荷重を付加している。
【先行技術文献】
【特許文献】
【０００３】
【特許文献１】特開２０１８−１２５１２４号公報
【発明の概要】
【発明が解決しようとする課題】
【０００４】
積層方向と直交する面内方向に蓄電モジュールが拡大される場合、拘束板の拡大も要する。拘束板が拡大されるほど拘束板の重量も増加するため、拘束板の軽量化が求められる。一方、上記面内方向に蓄電モジュールが拡大される場合、拘束板の係合部分から拘束板の中心位置までの距離も拡大する。この場合に、単に軽量化を図るために積層方向における拘束板の厚さが低減されると、拘束板の剛性が低下し、連結部材から拘束板を介して蓄電モジュールに加えられる荷重も低下する。このため、拘束板の剛性を確保することで、拘束板が蓄電モジュールに加える荷重を確保することも求められている。
【０００５】
本発明の一つの態様は、蓄電モジュールを拘束する拘束板による蓄電モジュールへの荷重が確保されながら、拘束板の軽量化が図られている蓄電装置を提供する。
【課題を解決するための手段】
【０００６】
本発明の一つの態様に係る蓄電装置は、積層された複数の蓄電モジュールと、一対の拘束板と、複数の連結部材とを備える。一対の拘束板は、積層方向において複数の蓄電モジュールを挟む。複数の連結部材は、一対の拘束板を連結し、一対の拘束板を介して積層方向に複数の蓄電モジュールに荷重を付加する。一対の拘束板のそれぞれは、第一縁及び第二縁を有すると共に、複数の第一係合部分と複数の第二係合部分とを有する。第一縁及び第二縁は、互いに対向すると共に対向方向と交差する方向に延在している。複数の第一係合部分には、第一縁に沿って配置され且つ複数の連結部材の一部がそれぞれ係合する。複数の第二係合部分には、第二縁に沿って配置され且つ複数の連結部材の一部がそれぞれ係合する。一対の拘束板の少なくとも一方は、複数のリブ部と複数の肉薄部とを有する。複数の肉薄部は、複数のリブ部によって画定されていると共に積層方向における厚さが複数のリブ部よりも薄い。複数のリブ部は、縁リブ部と複数の第一リブ部と複数の第二リブ部とを含む。縁リブ部は、拘束板の縁に沿って延在している。複数の第一リブ部は、第一縁及び第二縁の対向方向に対して傾斜してると共に第一係合部分と第二係合部分とを結ぶ直線上において、延在している。複数の第二リブ部のそれぞれは、第一リブ部に接続されていると共に第一縁及び第二縁の対向方向に延在している。各第一リブ部の両端は縁リブ部にそれぞれ接続されている。複数の第一リブ部のうち少なくとも２つは、互いに異なる方向に延在していると共に互いに交差する。複数の第二リブ部の少なくとも一つは、両端が互いに交差する２つの第一リブ部にそれぞれ接続されている。
【０００７】
上記蓄電装置では、一対の拘束板の少なくとも一方が、複数のリブ部と、積層方向において複数のリブ部よりも厚さが薄い複数の肉薄部とを有する。複数の肉薄部は、複数のリブ部によって画定されている。このため、複数の肉薄部によって拘束板の軽量化が図られながら、複数のリブ部によって拘束板の剛性が確保される。各第一リブ部は、第一縁及び第二縁の対向方向に対して傾斜すると共に第一係合部分と第二係合部分とを結ぶ直線上において延在している。複数の第一リブ部のうち少なくとも２つは、互いに交差する。さらに、複数の第二リブ部のそれぞれは、第一リブ部に接続されていると共に第一縁及び第二縁の対向方向に延在している。複数の第二リブ部の一部の両端は、互いに交差する第一リブ部にそれぞれ接続されている。このため、互いに交差する第一リブ部に対して、第二リブ部が筋交いとして働く。このようなリブ部の配置によれば、第一及び第二係合部分を介して各連結部材から拘束板に加わる力による拘束板の捻れに対する剛性が、リブ部の領域を拡大することなく向上する。この結果、当該蓄電装置では、蓄電モジュールを拘束する拘束板による蓄電モジュールへの荷重が確保されながら、拘束板の軽量化が図られる。
【０００８】
複数の第一リブ部は、複数の上記交差部を形成していてもよい。複数の交差部は、積層方向から見て、第一縁と第二縁との間において、上記対向方向と交差する方向に配列されていてもよい。当該構成によれば、拘束板の中央の剛性が確保されながら、拘束板の軽量化が図られる。
【０００９】
一対の拘束板のそれぞれは、積層方向から見て、第一縁及び第二縁を長辺とする矩形状を呈していてもよい。各第一係合部分は、複数の第二係合部分のいずれかから上記対向方向に延在している直線上に位置していてもよい。拘束板に対して長辺方向に均等に荷重が加わるため、連結部材から力を受けても拘束板は湾曲し難い。したがって、積層方向から見た場合のリブ部の面積が低減されても、蓄電モジュールに加える荷重に対する拘束板の剛性が確保される。
【００１０】
複数の第一係合部分及び第二係合部分のそれぞれは、積層方向に拘束板を貫通し且つ複数の連結部材の１つが係合される孔を有しており、複数の肉薄部のそれぞれは、積層方向から見て、孔よりも大きい面積を有していてもよい。この場合、肉薄部の細分化が抑制されており、拘束板の成形容易性が確保される。
【００１１】
複数の第二リブ部は、複数の第一リブ部によって囲われていると共に画定される区画領域に設けられていてもよい。この場合、拘束板の剛性がさらに向上する。
【００１２】
複数の第二リブ部は、複数の上記区画領域のそれぞれに設けられていてもよい。複数の区画領域は、第一領域と、第二領域とを含んでもよい。第二領域は、積層方向から見て、上記対向方向と交差する方向において第一領域よりも拘束板の中央の近くに位置してもよい。第一領域内の肉薄部の密度は、第二領域内の肉薄部の密度よりも大きくてもよい。複数の蓄電モジュールを適切に拘束するには、拘束板の中央の剛性を確保することが重要である。当該構成によれば、拘束板の中央の剛性が確保されながら、拘束板の軽量化が図られる。
【００１３】
区画領域において、当該区画領域内の第一部分における肉薄部の密度は、上記対向方向と交差する方向において当該区画領域内で第一部分よりも拘束板の中央の近くに位置する第二部分における肉薄部の密度よりも大きくてもよい。当該構成によれば、拘束板の中央の剛性が確保されながら、拘束板のさらなる軽量化が図られる。
【００１４】
一対の拘束板のそれぞれは、第三縁及び第四縁を有すると共に、第三係合部分と第四係合部分とを有してもよい。第三縁及び第四縁は、第一縁及び第二縁に交差すると共に互いに沿った方向に延在してもよい。第三係合部分は、第三縁に沿って配置され且つ複数の連結部材の一部が係合してもよい。第四係合部分は、第四縁に沿って配置され且つ複数の連結部材の一部が係合してもよい。複数のリブ部は、縁リブ部と、角リブ部を含む。縁リブ部は、拘束板の縁に沿って延在してもよい。角リブ部は、第一縁及び第三縁に対して傾斜する。角リブ部は、第一縁に沿って延在している縁リブ部と第三縁に沿って延在している縁リブ部とを接続するように延在してもよい。この場合、連結部材から力を受けても拘束板は湾曲し難い。したがって、積層方向から見た場合のリブ部の面積が低減されても、蓄電モジュールに加える荷重に対する拘束板の剛性が確保される。
【００１５】
複数のリブ部は、補助リブ部を含む。補助リブ部は、第一縁及び第二縁の対向方向に対して傾斜していると共に第一係合部分と第二係合部分とを結ぶ直線上において、縁リブ部から第一リブ部まで延在している。第一リブ部の数が多い場合、第一リブ部の数が少ない場合よりも、拘束板の剛性が向上する一方で、拘束板の重量が増加すると共に複数のリブ部で囲まれる肉薄部の形状が細かくなる。肉薄部の形状が細すぎる拘束板は、成形が困難である。上記補助リブ部が配置されれば、蓄電モジュールに加える荷重に対する拘束板の剛性の向上、拘束板の重量の増加抑制、及び肉薄部の細分化の抑制において、バランスが図られる。
【発明の効果】
【００１６】
本発明の一側面によれば、蓄電モジュールを拘束する拘束板による蓄電モジュールへの荷重が確保されながら、拘束板の軽量化が図られている蓄電装置を提供することができる。
【図面の簡単な説明】
【００１７】
【図１】本実施形態に係る蓄電装置の概略斜視図である。
【図２】図１の蓄電装置の概略断面図である。
【図３】拘束板の平面図である。
【図４】拘束板及び連結部材の部分断面図である。
【図５】本実施形態の変形例に係る蓄電装置の拘束板の平面図である。
【図６】本実施形態の変形例に係る蓄電装置の拘束板の斜視図である。
【発明を実施するための形態】
【００１８】
以下、添付図面を参照しながら本発明の実施形態が詳細に説明される。図面の説明において、同一又は同等の要素には同一符号が用いられ、重複する説明は省略される。
【００１９】
図１から図４を参照して、蓄電装置の実施形態について説明する。図１及び図２に示される蓄電装置１０は、たとえばフォークリフト、ハイブリッド自動車、及び電気自動車などの各種車両のバッテリとして用いられる。蓄電装置１０は、複数（本実施形態では３つ）の蓄電モジュール１２を備えるが、単一の蓄電モジュール１２を備えてもよい。蓄電モジュール１２は、バイポーラ電池である。蓄電モジュール１２は、たとえばニッケル水素二次電池、及びリチウムイオン二次電池などの二次電池であるが、電気二重層キャパシタであってもよい。以下の説明では、ニッケル水素二次電池を例示する。
【００２０】
複数の蓄電モジュール１２は、たとえば金属板などの導電板１４を介して積層され得る。以下、単に「積層方向」と述べた場合には、当該「積層方向」は複数の蓄電モジュール１２の積層方向を意味する。積層方向から見て、蓄電モジュール１２及び導電板１４は、たとえば矩形状を有する。
【００２１】
本実施形態では、各蓄電モジュール１２では、複数のバイポーラ電極とセパレータとが積層されている。セパレータは、互いに隣り合うバイポーラ電極の間に配置される。各バイポーラ電極は、電極板と、電極板の一方の面に設けられた正極と、電極板の他方の面に設けられた負極とを有する。換言すれば、各バイポーラ電極において正極と電極板と負極とが積層されており、各バイポーラ電極の電極板は正極と負極とに挟まれている。複数のバイポーラ電極及びセパレータの積層方向と、各バイポーラ電極内の正極、電極板及び負極の積層方向とは、複数の蓄電モジュール１２の積層方向と同一である。
【００２２】
導電板１４は、蓄電モジュール１２の積層方向（Ｚ方向）において両端に位置する蓄電モジュール１２の外側にもそれぞれ配置される。導電板１４は、隣り合う蓄電モジュール１２と電気的に接続される。これにより、複数の蓄電モジュール１２が積層方向に直列に接続される。積層方向において、一端に位置する導電板１４には正極端子２４が接続されており、他端に位置する導電板１４には負極端子２６が接続されている。正極端子２４は、正極端子２４と接続される導電板１４と一体であってもよい。負極端子２６は、負極端子２６と接続される導電板１４と一体であってもよい。正極端子２４及び負極端子２６は、積層方向に交差する方向（Ｘ方向）に延在している。これらの正極端子２４及び負極端子２６により、蓄電装置１０の充放電を実施できる。
【００２３】
導電板１４は、蓄電モジュール１２において発生した熱を放出するための放熱板としても機能し得る。導電板１４の内部に設けられた複数の空隙１４ａを空気及び気体などの冷媒が通過することにより、蓄電モジュール１２からの熱を効率的に外部に放出できる。各空隙１４ａはたとえば積層方向に交差する方向（Ｙ方向）に延在している。積層方向から見て、導電板１４は、蓄電モジュール１２よりも小さいが、蓄電モジュール１２と同じか蓄電モジュール１２より大きくてもよい。
【００２４】
蓄電装置１０は、交互に積層された蓄電モジュール１２及び導電板１４を積層方向に拘束する拘束部材１６を備える。拘束部材１６は、一対の拘束板１７，１８と、拘束板１７，１８同士を連結する複数の連結部材１９とを備える。一対の拘束板１７，１８は、積層方向で複数の蓄電モジュール１２を挟む。各拘束板１７，１８と導電板１４との間には、たとえば樹脂フィルムなどの絶縁フィルム２２が配置される。各拘束板１７，１８及び絶縁フィルム２２は、積層方向から見て、たとえば矩形状を有する。絶縁フィルム２２は導電板１４よりも大きく、各拘束板１７，１８は蓄電モジュール１２よりも大きい。
【００２５】
拘束板１７は、主面１７ａと主面１７ａの反対側に位置する主面１７ｂとを有する。拘束板１８は、主面１８ａと主面１８ａの反対側に位置する主面１８ｂとを有する。主面１７ｂと主面１８ｂとは、互いに対向している。各拘束板１７，１８は、たとえば鉄、アルミニウムなどの金属によって構成されている。
【００２６】
拘束板１７の主面１７ｂは、負極端子２６に接続された導電板１４に絶縁フィルム２２を介して突き当てられ、拘束板１８の主面１８ｂは、正極端子２４に接続された導電板１４に絶縁フィルム２２を介して突き当てられている。この状態で、一対の拘束板１７，１８は、互いに連結部材１９によって連結されている。これにより、絶縁フィルム２２、導電板１４及び蓄電モジュール１２が挟持されてユニット化されると共に、積層方向に拘束荷重が付加される。換言すれば、連結部材１９が、一対の拘束板１７，１８を介して積層方向で複数の蓄電モジュール１２に荷重を負荷する。
【００２７】
各拘束板１７，１８は、互いに対向すると共に対向方向と交差する方向に延在している一対の縁３１ａ，３１ｂと、一対の縁３１ａ，３１ｂに交差する方向に延在している一対の縁３１ｃ，３１ｄとを有する。本実施形態では、各拘束板１７，１８は、それぞれ平面視略長方形状であり、一対の縁３１ａ，３１ｂは、互いに平行に延在している。また、一対の縁３１ｃ，３１ｄは、互いに平行に延在している。積層方向から見て、拘束板１７では、縁３１ａ，３１ｂ，３１ｃ，３１ｄは主面１７ａを画定する。積層方向から見て、拘束板１８では、縁３１ａ，３１ｂ，３１ｃ，３１ｄは主面１８ａを画定する。たとえば、縁３１ｃ，３１ｄは、互いに平行であり、一対の縁３１ａ，３１ｂに直交する。縁３１ｃは縁３１ａ及び縁３１ｂの一端に接続されており、縁３１ｄは縁３１ａ及び縁３１ｂの他端に接続されている。矩形状を呈している拘束板１７，１８において、縁３１ａ，３１ｂが長辺を構成し、縁３１ｃ，３１ｄが短辺を構成する。縁３１ａは、例えば、第一縁に相当する。縁３１ｂは、例えば、第二縁に相当する。縁３１ｃは、例えば、第三縁に相当する。縁３１ｄは、例えば、第四縁に相当する。
【００２８】
以下、図３及び図４を参照して、拘束部材１６について更に詳細に説明する。図３は、拘束板１７の平面図である。図４は、拘束板１７の部分断面図である。本実施形態において、拘束板１７と拘束板１８とは、同様の構造を有している。各拘束板１７，１８は、複数の連結部材１９とそれぞれ係合する複数の係合部分３２，３３，３４，３５を有する。係合部分３２，３３，３４，３５は、それぞれ縁３１ａ，３１ｂ，３１ｃ，３１ｄに沿って配置されている。拘束板１７では、係合部分３２，３３，３４，３５は主面１７ａに設けられている。拘束板１８では、係合部分３２，３３，３４，３５は主面１８ａに設けられている。係合部分３２は、例えば、第一係合部分に相当する。係合部分３３は、例えば、第二係合部分に相当する。係合部分３４は、例えば、第三係合部分に相当する。係合部分３５は、例えば、第四係合部分に相当する。
【００２９】
拘束板１７の複数の係合部分３２と拘束板１８の複数の係合部分３２とは、積層方向から見て、互いに重なる位置に配置されている。拘束板１７の複数の係合部分３３と拘束板１８の複数の係合部分３３とは、積層方向から見て、互いに重なる位置に配置されている。拘束板１７の係合部分３４と拘束板１８の係合部分３４とは、積層方向から見て、互いに重なる位置に配置されている。拘束板１７の係合部分３５と拘束板１８の係合部分３５とは、積層方向から見て、互いに重なる位置に配置されている。
【００３０】
各拘束板１７，１８において、複数の係合部分３２と複数の係合部分３３は、縁３１ａと縁３１ｂとの対向方向の中点を通る仮想線に対して線対称な位置に配置されている。換言すれば、複数の係合部分３２は、それぞれ、複数の係合部分３３のいずれか１つから縁３１ａ及び縁３１ｂの対向方向に延在している直線上に位置するように設けられている。すなわち、縁３１ａに沿って設けられた複数の係合部分３２のそれぞれは、縁３１ｂに沿って設けられた複数の係合部分３３の１つと、縁３１ａ及び縁３１ｂに直交する方向である対向方向に並んでいる。
【００３１】
本実施形態では、複数の係合部分３２は、５つの係合部分３２ａ，３２ｂ，３２ｃ，３２ｄ，３２ｅを含んでおり、縁３１ａに沿って等間隔に配置されている。係合部分３２ａは縁３１ａの一端に配置され、係合部分３２ｅは縁３１ａの他端に配置されている。換言すれば、係合部分３２ａ，３２ｅは、複数の係合部分３２のうち、縁３１ａの端部に最も近い係合部分である。係合部分３２ｂ，３２ｃ，３２ｄは、係合部分３２ａと係合部分３２ｅとの間に、当該表記の順序で縁３１ａに沿って配置されている。
【００３２】
本実施形態では、複数の係合部分３３は、５つの係合部分３３ａ，３３ｂ，３３ｃ，３３ｄ，３３ｅを含んでおり、縁３１ｂに沿って等間隔に配置されている。係合部分３３ａは縁３１ｂの一端に配置され、係合部分３３ｅは縁３１ｂの他端に配置されている。換言すれば、係合部分３３ａ，３３ｅは、複数の係合部分３３のうち、縁３１ｂの端部に最も近い係合部分である。係合部分３３ｂ，３３ｃ，３３ｄは、係合部分３３ａと係合部分３３ｅとの間に、当該表記の順序で縁３１ｂに沿って配置されている。
【００３３】
係合部分３４は、係合部分３２ａと係合部分３３ａとに挟まれている。係合部分３２ａ，３４，３３ａは、当該表記の順序で縁３１ｃに沿って配置されている。係合部分３５は、係合部分３２ｅと係合部分３３ｅとに挟まれている。係合部分３２ｅ，３５，３３ｅは、当該表記の順序で縁３１ｄに沿って配置されている。
【００３４】
拘束板１７における係合部分３２，３３，３４，３５のそれぞれには、積層方向に拘束板１７を貫通する貫通孔Ｈ１が設けられている。拘束板１８における係合部分３２，３３，３４，３５のそれぞれには、積層方向に拘束板１８を貫通する貫通孔Ｈ２が設けられている（図２参照）。貫通孔Ｈ１，Ｈ２は、積層方向から見て、蓄電モジュール１２よりも外側に設けられている。複数の連結部材１９は、それぞれ貫通孔Ｈ１，Ｈ２に係合する。
【００３５】
複数の連結部材１９のそれぞれは、積層方向に延在している軸部を含むボルト１９ａと当該ボルト１９ａに螺合されるナット１９ｂとを有している。貫通孔Ｈ１，Ｈ２のそれぞれにボルト１９ａの軸部が挿通されている。ボルト１９ａの頭部は拘束板１７の主面１７ａ上に配置され、ボルト１９ａのネジ先は拘束板１８の主面１８ａから突出している。ボルト１９ａのネジ先にはナット１９ｂが螺合されている。ナット１９ｂは、拘束板１８の主面１８ａ上に配置されている。複数の連結部材１９のボルト１９ａ及びナット１９ｂは、一対の拘束板１７，１８を介して積層方向で複数の蓄電モジュール１２に荷重を負荷する。
【００３６】
各拘束板１７，１８は、複数のリブ部３８と、複数の肉薄部３９とを有する。複数の肉薄部３９のそれぞれは、複数のリブ部３８によって画定されている。図４に示されているように、積層方向において、各肉薄部３９の厚さは、複数のリブ部３８の厚さ及び複数の係合部分３２，３３，３４，３５の厚さよりも薄い。本実施形態では、各リブ部３８における最小厚みＴ１は、１５ｍｍ以上２５ｍｍ以下である。各肉薄部３９における最小厚みＴ２は、２ｍｍ以上７ｍｍ以下である。各係合部分３２，３３，３４，３５における最小厚みＴ３は、７ｍｍ超２０ｍｍ以下である。各肉薄部３９は、積層方向から見て、貫通孔Ｈ１，Ｈ２よりも大きい面積を有する。積層方向から見た場合に、各肉薄部３９の面積は１９ｍｍ２以上であればよい。本実施形態では、積層方向から見た場合に、各肉薄部３９の面積は１９．６ｍｍ２以上である。
【００３７】
複数のリブ部３８及び複数の肉薄部３９は、拘束板１７の主面１７ａと拘束板１８の主面１８ａとに設けられている。拘束板１７の主面１７ｂ及び拘束板１８の主面１８ｂは、平面である。本実施形態では、積層方向から見て、各リブ部３８の幅は同じである。各リブ部３８の幅とは、リブ部３８の延在方向及び積層方向に直交する方向における各リブ部３８の長さである。
【００３８】
複数のリブ部３８は、複数の第一リブ部４１、複数の第二リブ部４２、縁リブ部４３、中央リブ部４４、複数の角リブ部４５、複数の補助リブ部４６、及び複数の調整リブ部４７を含んでいる。各第一リブ部４１は、縁３１ａ及び縁３１ｂの対向方向に対して傾斜していると共に係合部分３２と係合部分３３とを結ぶ直線上において、延在している。各第一リブ部４１の両端は、縁リブ部４３にそれぞれ接続されている。複数の第一リブ部４１のうち少なくとも２つは、互いに異なる方向に延在していると共に互いに交差する交差部４８を形成している。
【００３９】
本実施形態では、複数の第一リブ部４１は、複数の交差部４８を形成している。複数の交差部４８は、積層方向から見て、縁３１ａと縁３１ｂとの間において、縁３１ａ及び縁３１ｂの対向方向と交差する方向に配列されている。本実施形態では、複数の係合部分３２と複数の係合部分３３はそれぞれ対向方向に並ぶように設けられているため、縁３１aと縁３１ｂとに対して傾斜するように延在する複数の第一リブ部４１は、それぞれ、拘束板１７，１８の中央部で交差する。
【００４０】
本実施形態では、各第一リブ部４１の両端は、複数の係合部分３２，３３，３４，３５のうちいずれか２つの係合部分に接続されている。複数の第一リブ部４１は、複数の区画領域５１，５２，５３を画定している。区画領域５１，５２，５３は、積層方向から見て略菱形状である。区画領域５１，５３は、例えば、第一領域に相当する。区画領域５２は、例えば、第二領域に相当する。
【００４１】
本実施形態では、複数の第一リブ部４１は、８つの第一リブ部４１ａ，４１ｂ，４１ｃ，４１ｄ，４１ｅ，４１ｆ，４１ｇ，４１ｈを含んでいる。第一リブ部４１ａの両端は、係合部分３２ｂと係合部分３４とに接続されている。第一リブ部４１ｂの両端は、係合部分３２ｂと係合部分３３ｃとに接続されている。第一リブ部４１ｃの両端は、係合部分３２ｃと係合部分３３ｂとに接続されている。第一リブ部４１ｄの両端は、係合部分３２ｃと係合部分３３ｄとに接続されている。第一リブ部４１ｅの両端は、係合部分３２ｄと係合部分３３ｃとに接続されている。第一リブ部４１ｆの両端は、係合部分３２ｄと係合部分３５とに接続されている。第一リブ部４１ｇの両端は、係合部分３３ｂと係合部分３４とに接続されている。第一リブ部４１ｈの両端は、係合部分３３ｄと係合部分３５とに接続されている。
【００４２】
本実施形態では、第一リブ部４１ａ，４１ｂ，４１ｃ，４１ｇによって区画領域５１が囲われている共に画定されている。第一リブ部４１ｂ，４１ｃ，４１ｄ，４１ｅによって区画領域５２が囲われていると共に画定されている。第一リブ部４１ｄ，４１ｅ，４１ｆ，４１ｈによって区画領域５３が囲われていると共に画定されている。本明細書において、「囲われていると共に画定される」領域とは、当該領域の縁の７０％以上が複数のリブ部によって構成される領域をいう。
【００４３】
積層方向から見て、区画領域５２は、縁３１ａ及び縁３１ｂの対向方向と交差する方向において、区画領域５１，５３よりも拘束板１７，１８の中央の近くに位置する。「中央」とは、縁３１ａ及び縁３１ｂの対向方向と直交する方向から見た場合に縁３１ｃの両端から等距離にあり、且つ、縁３１ｃ及び縁３１ｄの対向方向と直交する方向から見た場合に縁３１ａの両端から等距離にある位置をいう。
【００４４】
複数の第二リブ部４２は、複数の第一リブ部４１で囲われると共に画定される複数の区画領域５１，５２，５３のそれぞれに設けられている。換言すれば、各区画領域５１，５２，５３において、複数の第二リブ部４２が延在している。複数の第二リブ部４２の一部の両端は、互いに交差する第一リブ部４１にそれぞれ接続されている。各第二リブ部４２は、複数の第一リブ部４１のいずれとも異なる方向に延在している。各第二リブ部４２は、第一リブ部４１に接続されていると共に縁３１ａ及び縁３１ｂの対向方向に延在している。本実施形態では、複数の第二リブ部４２はいずれも、縁３１ａ，３１ｂに対して直交する方向に延在している。
【００４５】
区画領域５１，５３内の肉薄部３９の密度は、区画領域５２内の肉薄部３９の密度よりも大きい。換言すれば、積層方向から見て、区画領域５１，５３内に設けられているリブ部３８の密度は、区画領域５２内に設けられているリブ部３８の密度よりも小さい。本実施形態では、区画領域５１，５３内の第二リブ部４２の密度は、区画領域５２内の第二リブ部４２の密度よりも小さい。「密度」とは、積層方向から見た場合において、区画領域内の対象物の合計面積を当該区画領域の面積で除した値をいう。たとえば、「肉薄部の密度」とは、積層方向から見た場合において、各区画領域内の複数の肉薄部の合計面積を当該区画領域の面積で除した値をいう。
【００４６】
区画領域５１，５２，５３のそれぞれでは、縁３１ａ及び縁３１ｂの対向方向と交差する方向において、拘束板１７，１８の中央に近づくにつれて、各区画領域５１，５２，５３内の肉薄部３９の密度が小さくなるように構成されている。換言すれば、各区画領域５１，５２，５３内の第一部分における肉薄部３９の密度は、縁３１ａ及び縁３１ｂの対向方向と交差する方向において、当該区画領域５１，５２，５３内で上記第一部分よりも拘束板１７，１８の中央の近くに位置する第二部分における肉薄部３９の密度よりも大きい。本実施形態では、区画領域５１，５２，５３のそれぞれでは、縁３１ａに沿った方向において、拘束板１７，１８の中央に近づくにつれて、各区画領域５１，５２，５３内において互いに隣り合う第二リブ部４２間の距離が狭まっている。
【００４７】
縁リブ部４３は、拘束板１７，１８の縁３１ａ，３１ｂ，３１ｃ，３１ｄに沿って延在している。積層方向から見て、縁リブ部４３は、複数のリブ部３８のうち縁リブ部４３以外のリブ部３８を囲んでいる。縁リブ部４３は、縁リブ部４３ａと縁リブ部４３ｂとを含んでいる。
【００４８】
本実施形態では、縁リブ部４３ａは、係合部分３２，３３，３４，３５に含まれており、係合部分３２，３３，３４，３５のそれぞれの縁を構成している。貫通孔Ｈ１，Ｈ２は、縁リブ部４３ａに囲われている。縁リブ部４３ｂは、積層方向から見て、直線状である。縁リブ部４３ｂは、縁３１ａ，３１ｂ，３１ｃ，３１ｄに沿って、互いに隣り合う係合部分３２，３３，３４，３５を接続している。係合部分３２ａ，３２ｅ，３３ａ，３３ｅには、複数のリブ部３８のうち縁リブ部４３のみが接続されている。係合部分３２ａ，３２ｅ，３３ａ，３３ｅには、第一リブ部４１は接続されていない。
【００４９】
中央リブ部４４は、縁３１ａに沿った方向に延在している。中央リブ部４４の両端は、係合部分３４と係合部分３５とに接続されている。
【００５０】
拘束板１７，１８では、縁リブ部４３と第一リブ部４１とによって、複数の区画領域５４が囲まれていると共に画定されている。複数の区画領域５４は、区画領域５１，５２，５３の外部に位置する。区画領域５４は、例えば、第三領域に相当する。複数の区画領域５４は、縁リブ部４３と第一リブ部４１ｂ，４１ｃとによって画定された２つの区画領域５４ａと、縁リブ部４３と第一リブ部４１ｄ，４１ｅとによって画定された２つの区画領域５４ｂとを含んでいる。
【００５１】
複数の区画領域５４は、さらに、区画領域５４ｃと区画領域５４ｄと区画領域５４ｅと区画領域５４ｆとを含んでいる。区画領域５４ｃは、縁リブ部４３と第一リブ部４１ａとによって囲まれていると共に画定されている。区画領域５４ｄは、縁リブ部４３と第一リブ部４１ｆとによって囲まれていると共に画定されている。区画領域５４ｅは、縁リブ部４３と第一リブ部４１ｇとによって囲まれていると共に画定されている。区画領域５４ｆは、縁リブ部４３と第一リブ部４１ｈとによって囲まれていると共に画定されている。区画領域５４ｃ，５４ｄは、区画領域５１，５２，５３よりも縁３１ａの端部の近くに位置する。区画領域５４ｅ，５４ｆは、区画領域５１，５２，５３よりも縁３１ｂの端部の近くに位置する。
【００５２】
複数の角リブ部４５は、積層方向から見て、区画領域５４ｃ，５４ｄ，５４ｅ，５４ｆ内に設けられている。区画領域５４ｃ，５４ｄ，５４ｅ，５４ｆのそれぞれにおいて、複数の角リブ部４５が設けられている。複数の角リブ部４５は、縁３１ａ，３１ｂ，３１ｃ，３１ｄに対して傾斜している。
【００５３】
区画領域５４ｃ内に設けられた複数の角リブ部４５の両端は、縁３１ａに沿って設けられた縁リブ部４３ｂと、縁３１ｃに沿って設けられた縁リブ部４３ｂとに接続されている。区画領域５４ｄ内に設けられた複数の角リブ部４５の両端は、縁３１ａに沿って設けられた縁リブ部４３ｂと、縁３１ｄに沿って設けられた縁リブ部４３ｂとに接続されている。区画領域５４ｅ内に設けられた複数の角リブ部４５の両端は、縁３１ｂに沿って設けられた縁リブ部４３ｂと、縁３１ｃに沿って設けられた縁リブ部４３ｂとに接続されている。区画領域５４ｆ内に設けられた複数の角リブ部４５の両端は、縁３１ｂに沿って設けられた縁リブ部４３ｂと、縁３１ｄに沿って設けられた縁リブ部４３ｂとに接続されている。
【００５４】
積層方向から見て、区画領域５４ｃ，５４ｄ，５４ｅ，５４ｆ内の肉薄部３９の密度は、区画領域５１，５２，５３内の肉薄部３９の密度よりも大きい。換言すれば、積層方向から見て、区画領域５４ｃ，５４ｄ，５４ｅ，５４ｆ内に設けられている複数のリブ部３８の密度は、区画領域５１，５２，５３内に設けられている複数のリブ部３８の密度よりも小さい。本実施形態では、区画領域５４ｃ，５４ｄ，５４ｅ，５４ｆ内の角リブ部４５の密度は、区画領域５１，５２，５３内の第二リブ部４２の密度よりも小さい。
【００５５】
複数の補助リブ部４６は、複数の区画領域５４ａ，５４ｂに設けられている。各補助リブ部４６は、縁３１ａ及び縁３１ｂの対向方向に対して傾斜していると共に係合部分３２と係合部分３３とを結ぶ直線上において、延在している。各補助リブ部４６は、縁リブ部４３から、第一リブ部４１まで延在している。複数の補助リブ部４６のそれぞれの両端は、複数の係合部分３２，３３の１つと複数の第一リブ部４１の１つとに接続されている。複数の補助リブ部４６のそれぞれは、当該補助リブ部４６が接続されている係合部分３２，３３から延在している第一リブ部４１と異なる方向に延在している。複数の補助リブ部４６は、補助リブ部４６ａ，４６ｂ，４６ｃ，４６ｄ，４６ｅ，４６ｆ，４６ｇ，４６ｈを含んでいる。
【００５６】
補助リブ部４６ａは、係合部分３２ｂから縁３１ｂに向かって第一リブ部４１ｃまで延在している。補助リブ部４６ｂは、係合部分３２ｃから縁３１ｂに向かって第一リブ部４１ｂまで延在している。補助リブ部４６ｃは、係合部分３２ｃから縁３１ｂに向かって第一リブ部４１ｅまで延在している。補助リブ部４６ｄは、係合部分３２ｄから縁３１ｂに向かって第一リブ部４１ｄまで延在している。補助リブ部４６ｅは、係合部分３３ｂから縁３１ａに向かって第一リブ部４１ｂまで延在している。補助リブ部４６ｆは、係合部分３３ｃから縁３１ａに向かって第一リブ部４１ｃまで延在している。補助リブ部４６ｇは、係合部分３３ｃから縁３１ａに向かって第一リブ部４１ｄまで延在している。補助リブ部４６ｈは、係合部分３３ｄから縁３１ａに向かって第一リブ部４１ｅまで延在している。
【００５７】
補助リブ部４６ａは、係合部分３３ｄに向かって延在している。補助リブ部４６ｂは、係合部分３３ａに向かって延在している。補助リブ部４６ｃは、係合部分３３ｅに向かって延在している。補助リブ部４６ｄは、係合部分３３ｂに向かって延在している。補助リブ部４６ｅは、係合部分３２ｄに向かって延在している。補助リブ部４６ｆは、係合部分３２ａに向かって延在している。補助リブ部４６ｇは、係合部分３２ｅに向かって延在している。補助リブ部４６ｈは、係合部分３２ｂに向かって延在している。
【００５８】
複数の調整リブ部４７は、複数の区画領域５４ａ，５４ｂに設けられている。複数の調整リブ部４７のそれぞれは、縁３１ａ，３１ｂと直交する方向に延在している。複数の調整リブ部４７の両端は、縁３１ａ，３１ｂと補助リブ部４６とに接続に接続されているか、又は、補助リブ部４６と第一リブ部４１とに接続されている。積層方向からみて、複数の区画領域５４ａ，５４ｂ内の肉薄部３９の密度は、区画領域５２内の肉薄部３９の密度よりも大きい。換言すれば、積層方向から見て、複数の区画領域５４ａ，５４ｂ内に設けられている複数のリブ部３８の密度は、区画領域５２内に設けられている複数のリブ部３８の密度よりも小さい。
【００５９】
次に、図５を参照して、本実施形態の変形例に係る拘束板１１７の構造について説明する。本変形例における拘束板１１７は、概ね、上述した実施形態に係る拘束板１７，１８と類似又は同じである。本変形例における拘束板１１７は、係合部分３４，３５が設けられていない点、及び、それに伴って複数のリブ部３８が変更されている点に関して、上述した実施形態における拘束板１７，１８と相違する。以下、上述した実施形態における拘束板１７，１８と本変形例における拘束板１１７との相違点を主として説明する。
【００６０】
本変形例では、拘束板１１７に係合部分３４，３５が設けられていない。複数のリブ部３８は、複数の第一リブ部６１、複数の第二リブ部６２、縁リブ部４３、及び調整リブ部６４を含む。各第一リブ部６１は、縁３１ａ及び縁３１ｂの対向方向に対して傾斜していると共に係合部分３２と係合部分３３とを結ぶ直線上において、延在している。各第一リブ部６１の両端は、縁リブ部４３にそれぞれ接続されている。複数の第一リブ部６１のうち少なくとも２つは、互いに異なる方向に延在していると共に互いに交差する交差部６８を形成している。
【００６１】
本変形例においても、複数の第一リブ部６１は、複数の交差部６８を形成している。複数の交差部６８は、積層方向から見て、縁３１ａと縁３１ｂとの間において、縁３１ａ及び縁３１ｂの対向方向と交差する方向に配列されている。本変形例においても各第一リブ部６１の両端は、複数の係合部分３２，３３のうちいずれか２つの係合部分に接続されている。本変形例においても、複数の係合部分３２と複数の係合部分３３はそれぞれ対向方向に並ぶように設けられているため、縁３１aと縁３１ｂとに対して傾斜するように延在する複数の第一リブ部６１は、それぞれ、拘束板１１７の中央部で交差する。
【００６２】
本変形例では、複数の第一リブ部６１は、８つの第一リブ部６１ａ，６１ｂ，６１ｃ，６１ｄ，６１ｅ，６１ｆ，６１ｇ，６１ｈを含んでいる。第一リブ部６１ａの両端は、係合部分３２ａと係合部分３３ｂとに接続されている。第一リブ部６１ｂの両端は、係合部分３２ｂと係合部分３３ａとに接続されている。第一リブ部６１ｃの両端は、係合部分３２ｂと係合部分３３ｃとに接続されている。第一リブ部６１ｄの両端は、係合部分３２ｃと係合部分３３ｂとに接続されている。第一リブ部６１ｅの両端は、係合部分３２ｃと係合部分３３ｄとに接続されている。第一リブ部６１ｆの両端は、係合部分３２ｄと係合部分３３ｃとに接続されている。第一リブ部６１ｇの両端は、係合部分３２ｄと係合部分３３ｅとに接続されている。第一リブ部６１ｈの両端は、係合部分３２ｅと係合部分３３ｄとに接続されている。
【００６３】
本変形例では、第一リブ部６１ａ，６１ｂ，６１ｃ，６１ｄによって区画領域７１が囲われていると共に画定されている。第一リブ部６１ｃ，６１ｄ，６１ｅ，６１ｆによって区画領域７２が囲われていると共に画定されている。第一リブ部６１ｅ，６１ｆ，６１ｇ，６１ｈによって区画領域７３が囲われていると共に画定されている。第一リブ部６１ａ及び第一リブ部６１ｂと、縁３１ｃに沿った縁リブ部４３とによって区画領域７４が囲われていると共に画定されている。第一リブ部６１ｇ及び第一リブ部６１ｈと、縁３１ｄに沿った縁リブ部４３とによって区画領域７５が囲われていると共に画定されている。積層方向から見て、区画領域７２は、縁３１ａ及び縁３１ｂの対向方向と交差する方向において、区画領域７１，７３よりも拘束板１１７の中央の近くに位置する。区画領域７１，７２，７３は、積層方向から見て略菱形状である。区画領域７１，７３は、例えば、第一領域に相当する。区画領域７２は、例えば、第二領域に相当する。
【００６４】
複数の第二リブ部６２は、複数の第一リブ部６１で囲われていると共に画定される複数の区画領域７１，７２，７３，７４，７５のそれぞれに設けられている。換言すれば、各区画領域７１，７２，７３，７４，７５において、複数の第二リブ部６２が延在している。複数の第二リブ部６２の一部の両端は、互いに交差する第一リブ部６１にそれぞれ接続されている。各第二リブ部６２は、複数の第一リブ部６１のいずれとも異なる方向に延在している。各第二リブ部６２は、第一リブ部６１に接続されていると共に縁３１ａ及び縁３１ｂの対向方向に延在している。本変形例では、複数の第二リブ部６２はいずれも、縁３１ａ，３１ｂに対して直交する方向に延在している。
【００６５】
区画領域７１，７２，７３内の肉薄部３９の密度は、同一になっている。上述した実施形態のように、区画領域７１，７３内の肉薄部３９の密度は、区画領域７２内の肉薄部３９の密度よりも大きく構成されてもよい。本変形例では、区画領域７１，７２，７３，７４，７５のそれぞれでは、縁３１ａに沿った方向において、互いに隣り合う第二リブ部４２間の距離は一定である。
【００６６】
拘束板１１７では、縁３１ａ，３１ｂに沿った縁リブ部４３と第一リブ部６１とによって、複数の区画領域７６が囲まれていると共に画定されている。複数の区画領域７６は、区画領域７１，７２，７３，７４，７５の外部に位置する。区画領域７６内の肉薄部３９の密度は、区画領域７１，７２，７３，７４，７５内の肉薄部３９の密度よりも大きい。
【００６７】
複数の区画領域７６は、２つの区画領域７６ａ、２つの区画領域７６ｂ、２つの区画領域７６ｃ、及び２つの区画領域７６ｄを含んでいる。２つの区画領域７６ａは、縁３１ａ，３１ｂに沿った縁リブ部４３と第一リブ部６１ａ，６１ｂとによって囲まれていると共に画定されている。２つの区画領域７６ｂは、縁リブ部４３と第一リブ部６１ｃ，６１ｄとによって囲まれていると共に画定されている。２つの区画領域７６ｃは、縁リブ部４３と第一リブ部６１ｅ，６１ｆとによって囲まれていると共に画定されている。２つの区画領域７６ｄは、縁リブ部４３と第一リブ部６１ｇ，６１ｈとによって囲まれていると共に画定されている。
【００６８】
複数の調整リブ部６４は、複数の区画領域７６ａ，７６ｂ，７６ｃ，７６ｄに設けられている。複数の調整リブ部６４は、縁３１ａと直交する方向に延在している調整リブ部６４ａと、縁３１ａに沿った方向に延在している調整リブ部６４ｂとを含んでいる。複数の区画領域７６内の肉薄部３９の密度は、区画領域７１，７２，７３，７４，７５内の肉薄部３９の密度よりも大きい。換言すれば、複数の区画領域７６内に設けられている複数のリブ部３８の密度は、区画領域７１，７２，７３，７４，７５内に設けられている複数のリブ部３８の密度よりも小さい。
【００６９】
次に、図６を参照して、本実施形態の変形例に係る拘束板２１７の構造について説明する。本変形例における拘束板２１７は、概ね、上述した変形例に係る拘束板１１７と類似又は同じである。本変形例における拘束板２１７は、拘束板２１７が断面Ｕ字形状を呈している点、及び、それに伴って複数のリブ部３８が変更されている点に関して、上述した変形例における拘束板１１７と相違する。以下、上述した変形例における拘束板１１７と本変形例における拘束板２１７との相違点を主として説明する。
【００７０】
拘束板２１７では、複数の係合部分３２，３３は、対となる他方の拘束板に向かって積層方向に突出している。拘束板２１７では、複数のリブ部３８は、複数の第一リブ部６１、複数の第二リブ部６２、縁リブ部８３、及び調整リブ部６４を有している。本変形例において、各第一リブ部６１の両端は、縁リブ部８３にそれぞれ接続されている。各第一リブ部６１の両端は、係合部分３２，３３に直接接続されていない。
【００７１】
拘束板２１７において、縁リブ部８３は、縁３１ａ，３１ｂ，３１ｃ，３１ｄに沿って延在している。積層方向から見て、縁リブ部８３は、複数のリブ部３８のうち縁リブ部８３以外のリブ部３８を囲んでいる。積層方向から見て、縁３１ａ及び縁３１ｂに沿って設けられた縁リブ部８３の幅は、縁３１ｃ及び縁３１ｄに沿って設けられた縁リブ部８３の幅よりも大きい。積層方向から見て、縁３１ａ及び縁３１ｂに沿って設けられた縁リブ部８３の幅は縁リブ部８３以外のリブ部３８の幅よりも大きい。縁リブ部８３の幅とは、各縁リブ部８３の延在方向及び積層方向に直交する方向における縁リブ部８３の長さをいう。拘束板２１７では、縁リブ部８３は、積層方向から見て、複数の係合部分３２，３３の間に位置している。
【００７２】
拘束板２１７では、第一リブ部６１ａ及び第一リブ部６１ｂと、縁３１ｃに沿った縁リブ部８３とによって区画領域７４が囲われていると共に画定されている。第一リブ部６１ｇ及び第一リブ部６１ｈと、縁３１ｄに沿った縁リブ部８３とによって区画領域７５が囲われていると共に画定されている。
【００７３】
拘束板２１７では、縁３１ａ，３１ｂに沿った縁リブ部８３と第一リブ部６１とによって、複数の区画領域７６が囲まれていると共に画定されている。複数の区画領域７６は、区画領域７１，７２，７３，７４，７５の外部に位置する。複数の区画領域７６は、２つの区画領域７６ａ、２つの区画領域７６ｂ、２つの区画領域７６ｃ、及び２つの区画領域７６ｄを含んでいる。２つの区画領域７６ａは、縁３１ａ，３１ｂに沿った縁リブ部８３と第一リブ部６１ａ，６１ｂとによって囲まれていると共に画定されている。より詳細には、縁３１ａに沿った縁リブ部８３の係合部分３２ａから係合部分３２ｂにかけて延在する部分と、互いに交差する第一リブ部６１ａ，６１ｂとによって囲まれた略三角形の領域、および、縁３１ｂに沿った縁リブ部８３の係合部分３３ａから係合部分３３ｂにかけて延在する部分と、互いに交差する第一リブ部６１ａ，６１ｂとによって囲まれた略三角形の領域として画定されている。同じように、２つの区画領域７６ｂは、縁３１ａ，３１ｂに沿った縁リブ部８３と互いに交差する第一リブ部６１ｃ，６１ｄとによって囲まれた２つの略三角形の領域として画定されている。２つの区画領域７６ｃは、縁３１ａ，３１ｂに沿った縁リブ部８３と互いに交差する第一リブ部６１ｅ，６１ｆとによって囲まれた２つの略三角形の領域として画定されている。２つの区画領域７６ｄは、縁３１ａ，３１ｂに沿った縁リブ部８３と互いに交差する第一リブ部６１ｇ，６１ｈとによって囲まれた２つの略三角形の領域として画定されている。
【００７４】
以上説明したように、蓄電装置１０では、拘束板１７，１８,１１７,２１７が、複数のリブ部３８と、積層方向において複数のリブ部３８よりも厚さが薄い複数の肉薄部３９とを有する。複数の肉薄部３９は、複数のリブ部３８によって画定されている。このため、複数の肉薄部３９によって拘束板１７，１８,１１７,２１７の軽量化が図られながら、複数のリブ部３８によって拘束板１７，１８,１１７,２１７の剛性が確保される。
【００７５】
各第一リブ部４１，６１は、縁３１ａ及び縁３１ｂの対向方向に対して傾斜すると共に係合部分３２及び係合部分３３とを結ぶ直線上において、延在している。複数の第一リブ部４１,６１のうち少なくとも２つは、互いに交差する。さらに、複数の第二リブ部４２，６２のそれぞれは、縁３１ａ及び縁３１ｂの対向方向に延在している。複数の第二リブ部４２,６２のうちのいくつかは、その両端が互いに交差する第一リブ部４１,６１にそれぞれ接続されている。このため、互いに交差する第一リブ部４１,６１に対して、第二リブ部４２,６２が筋交いとして働く。このようなリブ部３８の配置によれば、係合部分３２,３３を介して各連結部材１９から拘束板１７，１８,１１７,２１７に加わる力による拘束板１７，１８,１１７,２１７の捻れに対する剛性が、リブ部３８の領域を拡大することなく向上する。この結果、当該蓄電装置１０では、蓄電モジュール１２を拘束する拘束板１７，１８,１１７,２１７による蓄電モジュール１２への荷重が確保されながら、拘束板１７，１８,１１７,２１７の軽量化が図られる。
【００７６】
拘束板１７，１８,１１７，２１７において、各第一リブ部４１，６１の両端は、複数の係合部分３２，３３，３４，３５のうちいずれか２つの係合部分に隣接する縁リブ部４３，８３に接続されている。このため、複数の第一リブ部４１，６１が縁３１ａ及び縁３１ｂに沿って設けられた縁リブ部４３，８３に対して筋交いとして機能する。第二リブ部４２，６２は、複数の第一リブ部４１，６１によって囲われた区画領域５１，５２，５３，７１，７２，７３，７４，７５において延在している。この拘束板１７，１８，１１７では、蓄電モジュール１２に加える荷重に対する拘束板１７，１８，１１７の剛性が確保されながら、積層方向から見てリブ部３８の面積に対する肉薄部３９の面積の比率が拡大され得る。
【００７７】
拘束板１７，１８,１１７,２１７において、複数の第一リブ部４１,６１は、複数の交差部４８,６８を形成している。複数の交差部４８,６８は、積層方向から見て、縁３１ａと縁３１ｂとの間において、縁３１ａ,３１ｂの対向方向と交差する方向に配列されている。当該構成によれば、拘束板１７，１８,１１７,２１７の中央の剛性が確保されながら、拘束板１７，１８,１１７,２１７の軽量化が図られる。
【００７８】
拘束板１７，１８,１１７,２１７は、積層方向から見て、縁３１ａ及び縁３１ｂを長辺とする矩形状を呈している。各係合部分３２は、複数の係合部分３３のいずれかから縁３１ａ,３１ｂの対向方向に延在している直線上に位置している。この場合、拘束板１７，１８,１１７,２１７に対して長辺方向に均等に荷重が加わるため、連結部材１９から力を受けても拘束板１７，１８,１１７,２１７は湾曲し難い。したがって、積層方向から見た場合のリブ部３８の面積が低減されても、蓄電モジュール１２に加える荷重に対する拘束板の剛性が確保される。
【００７９】
複数の係合部分３２,３３のそれぞれは、積層方向に拘束板１７，１８,１１７,２１７を貫通し且つ複数の連結部材１９の１つが係合される貫通孔Ｈ１,Ｈ２を有しており、複数の肉薄部３９のそれぞれは、積層方向から見て、貫通孔Ｈ１,Ｈ２よりも大きい面積を有している。この場合、肉薄部３９の細分化が抑制されており、拘束板１７，１８,１１７,２１７の成形容易性が確保される。
【００８０】
拘束板１７,１８において、複数の係合部分３２，３３のうち縁３１ａ，３１ｂの端部に最も近い係合部分３２ａ，３２ｅ，３３ａ，３３ｅには、複数のリブ部３８のうち縁リブ部４３のみが接続されている。係合部分３２ａ，３２ｅ，３３ａ，３３ｅには、第一リブ部４１は接続されていない。拘束板１７，１８は、縁リブ部４３を有しているため、縁３１ａ，３１ｂの端部に最も近い係合部分３２ａ，３２ｅ，３３ａ，３３ｅに縁リブ部４３以外のリブ部３８が接続されていなくとも、蓄電モジュール１２への荷重は確保され得る。当該係合部分３２ａ，３２ｅ，３３ａ，３３ｅに縁リブ部４３以外のリブ部３８が接続されていないため、拘束板１７，１８のさらなる軽量化が図られている。
【００８１】
拘束板１７,１８において、区画領域５１，５３内の肉薄部３９の密度は、区画領域５２内の肉薄部３９の密度よりも大きい。複数の蓄電モジュール１２を適切に拘束するには、拘束板１７，１８の中央の剛性を確保することが重要である。当該構成によれば、拘束板１７，１８の中央の剛性が確保されながら、拘束板１７，１８の軽量化が図られる。
【００８２】
拘束板１７，１８において、区画領域５４内の肉薄部３９の密度は、区画領域５２内の肉薄部３９の密度よりも大きい。拘束板１７，１８は、縁リブ部４３を有しているため、区画領域５２内のリブ部３８よりも区画領域５４内のリブ部３８の方が拘束板１７，１８の剛性に対する寄与度は低い。このため、蓄電モジュール１２に加える荷重に対する拘束板１７，１８の剛性が確保されながら、拘束板１７，１８のさらなる軽量化が図られる。
【００８３】
拘束板１７,１８の区画領域５１，５２，５３において、積層方向から見て、当該区画領域内の第一部分における肉薄部３９の密度は、縁３１ａ,３１ｂの対向方向と交差する方向において当該区画領域内で第一部分よりも拘束板１７，１８の中央の近くに位置する第二部分における肉薄部３９の密度よりも大きい。当該構成によれば、拘束板１７，１８の剛性が確保されながら、拘束板１７，１８のさらなる軽量化が図られる。
【００８４】
拘束板１７,１８において、縁リブ部４３は、拘束板１７，１８の縁に沿って延在している。角リブ部４５は、縁３１ａ及び縁３１ｃに対して傾斜する。角リブ部４５は、縁３１ａに沿って延在している縁リブ部４３と縁３１ｃに沿って設けられた縁リブ部４３とを接続するように延在している。このため、連結部材１９から力を受けても拘束板１７，１８は湾曲し難い。したがって、積層方向から見た場合のリブ部３８の面積が低減されても、蓄電モジュール１２に加える荷重に対する拘束板１７，１８の剛性が確保される。
【００８５】
拘束板１７，１８において、補助リブ部４６は、複数の区画領域５１，５２，５３の外部においての対向方向に対して傾斜していると共に係合部分３２，３３とを結ぶ直線上において、縁リブ部４３から第一リブ部４１まで延在している。第一リブ部４１の数が多い場合、第一リブ部４１の数が少ない場合よりも、拘束板１７，１８の剛性が向上する一方で、拘束板１７，１８の重量が増加すると共に複数のリブ部３８で囲まれる肉薄部３９の形状が細かくなる。肉薄部３９の形状が細すぎる拘束板１７，１８は、成形が困難である。上記補助リブ部４６が配置されれば、蓄電モジュール１２に加える荷重に対する拘束板１７，１８の剛性の向上、拘束板１７，１８の重量の増加抑制、及び肉薄部３９の細分化の抑制において、バランスが図られる。
【００８６】
以上、本発明の実施形態及び変形例について説明してきたが、本発明は必ずしも上述した実施形態に限定されるものではなく、その要旨を逸脱しない範囲で様々な変更が可能である。
【００８７】
本実施形態では、一対の拘束板１７，１８のそれぞれが複数のリブ部３８と複数の肉薄部３９とを有する構成について説明したがこの構成に限定されない。複数のリブ部３８及び複数の肉薄部３９は、一対の拘束板１７，１８の一方だけに設けられていてもよい。
【００８８】
拘束板１７，１８,１１７,２１７のそれぞれにおける係合部分３２，３３の数は、５つ未満であってもよいし、６つ以上であってもよい。拘束板１７，１８,１１７,２１７のそれぞれにおける係合部分３２，３３の数は、２つ以上であってもよい。
【００８９】
本実施形態では、上述したように、貫通孔Ｈ１，Ｈ２のそれぞれにボルト１９ａの軸部が挿通され、ボルト１９ａのネジ先にはナット１９ｂが螺合されている。この際、貫通孔Ｈ１，Ｈ２の内周は平坦でもよいし、貫通孔Ｈ１，Ｈ２の内周にネジ山が設けられていてもよい。
【００９０】
本実施形態では、複数の係合部分３３ａ，３３ｂ，３３ｃ，３３ｄの貫通孔Ｈ１，Ｈ２にボルト１９ａが挿通される構成について説明したがこの構成に限定されない。たとえば、拘束板１８の係合部分３３ａ，３３ｂ，３３ｃ，３３ｄに貫通孔Ｈ１，Ｈ２でなく、係合部分３３ａ，３３ｂ，３３ｃ，３３ｄを貫通しない孔が主面１８ｂに設けられてもよい。この場合、ボルト１９ａのネジ先は、拘束板１８の係合部分３３ａ，３３ｂ，３３ｃ，３３ｄの上記孔の内周に設けられたネジ山に直接的に螺合されてもよい。本願明細書において「孔」は、拘束板１７，１８を貫通していないものも含む。
【符号の説明】
【００９１】
１０…蓄電装置、１２…蓄電モジュール、１７，１８，１１７，２１７…拘束板、１９…連結部材、３１ａ，３１ｂ，３１ｃ，３１ｄ…縁、３２，３３，３４，３５…係合部分、３８…リブ部、３９…肉薄部、４１，６１…第一リブ部、４２，６２…第二リブ部、４３，８３…縁リブ部、４５…角リブ部、４６…補助リブ部、４８，６８…交差部、５１，５２，５３，５４，７１，７２，７３，７４，７５，７６…区画領域、Ｈ１，Ｈ２…貫通孔。
【図１】
2020087924.tif 000003
【図２】
2020087924.tif 000004
【図３】
2020087924.tif 000005
【図４】
2020087924.tif 000006
【図５】
2020087924.tif 000007
【図６】
2020087924.tif 000008